(57)【要約】【課題】食塩を塩まくらに詰めて使用し、汚れてきたら、塩まくら本体は洗濯をする。また、中に入っている食塩は天日干しし、再利用もできるところが、現在流通している塩まくらとの違いである。【解決手段】食塩を布製のカバーの中に入れてファスナーをつけた場合、開口部からわずかづつ塩が漏れだす事が避けられない構造になる。ここに逆流ストッパーを取り付けることにより、塩漏れを完全にシャットアウトする事ができるようになった。この塩まくらを通して、安全で、安心で、しかも安価な食塩が、食用以外のルートでも役立つ可能性が広がってきた。【選択図】  図１
0003123630.tif 000002
【実用新案登録請求の範囲】
【請求項１】
食塩を布製の袋に入れ、チャック式とし、食塩の出し入れができるような様式とした場合、通常はチャックの開閉部分の所から、わずかづつ塩漏れが生じるが、漏斗状のストッパーを設け、2〜3回、内側に巻き上げて、チャック内に納める事により、塩漏れを完全に防止することができる塩まくら。
【考案の詳細な説明】
【技術分野】
【０００１】
本考案は、食塩を布製の袋に入れて、まくらとして使用する際の工夫に関する事柄である。
【背景技術】
【０００２】
従来の塩まくらの発想は、タオル、手ぬぐいなどを利用して、袋を作り、この中に食塩を1kg〜1.2kgを詰めて、入り口をしっかりと縫い付けるだけのものであった。
【非特許文献１】「壮快」6月号別冊付録、別刷、全日本塩販売協会    Ｐ2〜Ｐ3  鍼灸東洋院院長  竹之内診佐夫  （写1）
【０００３】
「写１」
0003123630.tif 000003
【０００４】
不織布の袋の中に食塩を詰めて、圧着するタイプの塩まくらが簡単であり、しかも安価なため、全国的には流通している。
このタイプの塩まくらは、3〜4ヶ月使用すれば、不織布が汚れてきて、洗う事はできないという欠点がある。いわゆる使い捨てタイプである。（写2）
【０００５】
「写２」
0003123630.tif 000004
【０００６】
不織布を使った塩まくらは、熱圧着シールで三方が閉じられている。溶着時に、繊維の間に塩が付着した場合、使用中に剥離を起こし、塩が漏れ出す可能性がある。（写3）
【０００７】
「写３」
0003123630.tif 000005
【０００８】
また、トルマリン鉱石入りの効果を謳った、高額の商品も開発されている。
しかし、このタイプの塩まくらも不織布を使用しているため、肌触りは必ずしも良くなったとは言えない。（写4）
【０００９】
「写４」
0003123630.tif 000006
【００１０】
綿製の布袋に入れた塩まくらを作成した。不織布に比べて、肌触りは格段に向上した。ただし、縫い付けられているため、洗濯はできない。
中に入っているにがりを含んだ塩が溶け出したり、湿気を救って重くなったりしても、中の塩を取り出す事はできない。天日干しをするか、破棄して新しい商品を購入するか、どちらかの選択肢しかない。（写5）
【００１１】
「写５」
0003123630.tif 000007
【００１２】
洗濯をするために、ファスナー式を試してみた。チャックは縦方向とし、重さは２kg、サイズは、縦210ミリ×横300ミリ  と決める。（写6）（写7）
【００１３】
「写６」
0003123630.tif 000008
【００１４】
「写７」
0003123630.tif 000009
【００１５】
袋の中に塩を詰め、しっかりとファスナーを閉めるが、構造上、わずかではあるが、隙間ができる。（写8）そのため、隙間から塩が漏れる。（写9）
【００１６】
「写８」
0003123630.tif 000010
【００１７】
「写９」
0003123630.tif 000011
【００１８】
二重式の袋を利用してみる。中袋は、ひも付きとして、この中に食塩を入れ、さらにチャック式の袋に入れる。中袋から塩が漏れても、外袋で塩漏れを防ぐ事ができる。ただし、コストは２倍となるため、実用化は考えなかった。（写10）
【００１９】
「写１０」
0003123630.tif 000012
【考案の開示】
【考案が解決しようとする課題】
【００２０】
今回使用を予定している食塩の平均粒径は、500〜600ミクロンである。実際に、テストをした結果、チャックの止め付け付近から、わずかづつ食塩が漏れ出す事がわかる。１０個のうち、2〜3個は、塩漏れが発生し、防ぐ手立てなしの状態が続く。（写9）参照
【００２１】
袋の中に入れた食塩とチャック部分が直接触れないよう、チャックの内側にボタンをつけた。逆さにして振った場合、塩漏れの起こる回数は、格段に減少した。しかし、完璧とは言えない。（写11）
【００２２】
「写１１」
0003123630.tif 000013
【課題を解決するための手段】
【００２３】
チャックの内側に、逆流ストッパーを設けて、一旦袋の中に入った塩は出にくいように工夫をした。
【考案の効果】
【００２４】
就寝中や移動させるときなど、少しぐらいチャックが開いていても、漏れる心配はなくなった。強く振っても塩漏れの発生はなく、塩まくらの本体の袋の部分が破れない限り、塩が漏れ出すことはなくなった。逆流ストッパー取り付けの効果は完璧といえる仕上がりとなる。
【考案を実施するための最良の形態】
【００２５】
内袋と外袋を使用して、微細な食塩も使用できるようにと考えていたが、外袋のみとし、内袋をなくす。そして、内袋の代わりに、逆流ストッパーを設ける形態にした。（写12）
【００２６】
「写１２」
0003123630.tif 000014
【００２７】
チャックは同じく縦方向とし、重さは２kg、サイズは、縦210ミリ×横330ミリと決める。（写  13）
【００２８】
「写１３」
0003123630.tif 000015
【実施例１】
【００２９】
逆流ストッパー部分を縦に伸ばし、漏斗状とする。そして、その先に金属製の漏斗をあて、食塩を中に詰め込むようにする。（写14）
【００３０】
「写１４」
0003123630.tif 000016
【００３１】
ストッパー部分をクルクルと巻き込んで、漏斗状の布の先端をふさぐようにする。（写15）
【００３２】
「写１５」
0003123630.tif 000017
【００３３】
ストッパー部分を完全に巻き込んでから、チャック内にしまい、ファスナーを閉めれば、塩漏れは完全にシャットアウトされる。（写16）
【００３４】
「写１６」
0003123630.tif 000018
【産業上の利用可能性】
【００３５】
粒子の細かい物（500〜1,000ミクロンぐらいの物）を布製のカバーの中に入れて、さらに、チャック式にする場合は、チャックの隙間から少しづつ漏れ出すという現象が起きる。この方法を使えば、繊維の生地が破れない限り、チャックの隙間からこぼれることはなく小豆とか、そば殻を入れているまくらなどにも応用できる。
【図面の簡単な説明】
【００３６】
【図１】塩まくら、本体及び逆流ストッパー部分の図面
【符号の説明】
【００３７】
１    会社のロゴ入りマーク
２    塩まくら本体部分
３    チャックの本体部分
４    チャックのファスナー部分
５    漏斗型逆流ストッパー部分
【図１】
0003123630.tif 000019
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
食塩を布製の袋に入れ、チャック式とし、食塩を出し入れできるように構成し、塩を封止可能にした事を特徴とする塩まくら。